(57)【要約】【課題】運転中に発生して電極に付着する水やその他の液体をスムーズに排出でき、エネルギー効率の高い燃料電池の提供を目的とする。【解決手段】燃料電池１は、単セル１０をセパレータ２０で挟み込んで複数、直列結合して電池スタックとしたものである。セパレータ２０は、アノード電極１５に対向するアノード側対向面２１と、カソード電極１６に対向するカソード側対向面２２とを有し、両者に流路溝２３，２５を有する。流路溝２５内には、カソード電極１６側に突出した突出部５０が複数、流路溝２５の延長方向に所定の間隔で設けられている。そのため、流路溝２５に酸化剤ガスを供給すると、酸化剤ガスが突出部５０に当たって乱流状態になると共にカソード電極１６側に案内され、カソード電極１６の表面に付着している水やメタノールが押し流される。【選択図】図６
2007165174.tif 000002
【特許請求の範囲】
【請求項１】
電解質をアノード電極とカソード電極とで挟んで構成される単セルと、
前記アノード電極およびカソード電極に対して隣接する位置に配されるセパレータとを有する燃料電池であって、
前記セパレータは、前記アノード電極及び／又はカソード電極と対向する対向面を有し、
当該対向面には、活物質が流通可能であり、アノード電極側あるいはカソード電極側に向けて突出した突出部を備えた流路溝が形成されており、
前記突出部は、前記流路溝の流路幅全体にわたって突出しており、前記流路溝の延長方向に所定の間隔を開けて複数設けられていることを特徴とする燃料電池。
【請求項２】
電解質をアノード電極とカソード電極とで挟んで構成される単セルと、
前記アノード電極およびカソード電極に対して隣接する位置に配されるセパレータとを有し、
前記アノード電極側あるいはカソード電極側のいずれか一方において活物質の反応により水が発生する燃料電池であって、
前記セパレータは、前記アノード電極側あるいはカソード電極側のうち、活物質の電気化学反応により水が発生する電極に対して対向する対向面を有し、
当該対向面には、活物質が流通可能であり、活物質の電気化学反応により水が発生する電極側に向けて突出した突出部を備えた流路溝が形成されており、
前記突出部は、前記流路溝の流路幅全体にわたって突出しており、前記流路溝の延長方向に所定の間隔を開けて複数設けられていることを特徴とする燃料電池。
【請求項３】
流路溝の延長方向に隣接する突出部同士の間隔が、活物質の電気化学反応により発生し、電極に付着する水あるいは当該水を含む液体の平均粒径以下であることを特徴とする請求項２に記載の燃料電池。
【請求項４】
突出部が、流路溝の延長方向に複数設けられており、流路溝の延長方向に隣接する突出部同士の間隔が、流路溝の流路幅方向に略均一であることを特徴とする請求項１〜３のいずれかに記載の燃料電池。
【請求項５】
突出部は、流路溝の延長方向の長さが、流路溝の延長方向に隣接する突出部同士の間隔と略同一であることを特徴とする請求項１〜４のいずれかに記載の燃料電池。
【発明の詳細な説明】
【技術分野】
【０００１】
本発明は燃料電池に関するものであり、特にセパレータの構造に特徴を有するものに関する。
【背景技術】
【０００２】
近年、環境に調和した電気エネルギー供給デバイスとして燃料電池が着目されつつある。その中でも、陽イオン交換膜型燃料電池（Ｐｏｌｙｍｅｒ Ｅｌｅｃｔｒｏｌｙｔｅ Ｆｕｅｌ Ｃｅｌｌ  以下、ＰＥＦＣと称す）や、ＰＥＦＣの一種である直接メタノール型燃料電池（Ｄｉｒｅｃｔ Ｍｅｔｈａｎｏｌ Ｆｕｅｌ Ｃｅｌｌ  以下、ＤＭＦＣと称す）と称されるタイプのものは作動温度が低く、車両用の動力源や携帯機器用の二次電池代替電源として特に注目を集めている。また、直接メタノール型燃料電池は、液体燃料をそのまま正極活物質として使用できるという特色を有する。そのため、直接メタノール型燃料電池は、改質器等を設ける必要がなく構造がシンプルであるという特色も有する。
【０００３】
上記したＤＭＦＣやＰＥＦＣと称されるタイプの燃料電池は、電解質としてプロトン伝導性に優れた高分子膜が採用されており、これをカソード電極（酸素極）およびアノード電極（燃料極）とで挟み込んで構成される単セルをセパレータ（インターコネクタ、内部連結体）を介して並べた構成とされている。ここで、セパレータは、隣接する単セル同士を電気的に繋ぐコネクターとしての役割に加えて、燃料や酸素の流路を形成する流路形成部材としての機能を有する。すなわち、セパレータは、例えばカーボン等のような電気導電性が高くプロトン（水素イオン）や酸化物イオンの伝導率が低い材質により作製されている。セパレータには、燃料ガスや酸素ガス、炭酸ガス等を流すための流路溝が設けられており、アノード電極やカソード電極全体に燃料ガスや酸素ガスを供給可能な構成とされている。
【０００４】
ＤＭＦＣは、アノード電極に液体燃料を供給すると、電極反応によって炭酸ガスおよびプロトンに加えて電子が発生する構成とされている。また、陽イオン交換膜側燃料電池では、アノード電極に水素を供給すると、これがプロトンと電子に分かれる構成とされている。アノード電極で発生したプロトンは、電解質膜を通ってカソード側に流れる。電子は、外部に設けられた電力負荷において仕事をした後、カソード電極側に流れる。一方、カソード電極側に酸化剤としての空気や酸素を供給すると、電解質膜を通過してきたプロとトンと反応して水を生成する。さらに、上記したＤＭＦＣでは、アノード電極側に供給された液体燃料の一部が電解質膜を透過するクロスオーバー（もしくはクロスリーク）と称される現象が起こってカソード電極側に至り、カソード電極側において発生した水に混入することがある。
【０００５】
上記したように、セパレータには流路溝が設けられている。そのため、ＤＭＦＣやＰＥＦＣ等の燃料電池では、アノード極側のセパレータに設けられた流路溝を介してアノード極で発生した炭酸ガスや液体燃料に加えて余剰の液体燃料や水素ガスを外部に排出することができる構成とされている。また、ＤＭＦＣやＰＥＦＣでは、カソード極側のセパレータに設けられた流路溝を介してカソード極で生成した水や電解質膜を透過してきた液体燃料を空気や酸素等の酸化剤ガスと共に燃料電池の外に排出することができる構成とされている。
【０００６】
ここで、燃料電池の電気的特性は、運転温度、燃料濃度などの運転条件に加えて、セパレータの流路溝を介して燃料や酸化剤ガスをいかに均一にカソード極やアノード極の反応界面に供給できるかどうかに左右されるものと想定される。そのため、上記したＤＭＦＣやＰＥＦＣのように電極反応により水が発生するタイプの燃料電池では、セパレータの流路溝に電極反応で発生した水等の生成物や液体燃料が滞留すると電気的特性が大幅に低下するものと想定される。特に、ＤＭＦＣのカソード極側では、電極反応によって生成した水に、アノード極側から電解質膜を透過してきた液体燃料が混入するため、カソード側のセパレータの構造と酸化剤ガスによって水や液体燃料を円滑に除去できるか否かが燃料電池の電気的特性に大きな影響を与えるものと想定される。
【０００７】
そこで、従来技術では、かかる問題を解消すべく例えば下記特許文献１に開示されているように酸化剤ガスの供給速度を調整する方策が提案されている。
【特許文献１】特開２００２−２０８４１９号公報
【発明の開示】
【発明が解決しようとする課題】
【０００８】
ここで、本発明者らが上記特許文献１に開示されているように、酸化剤ガスの供給速度を調整する構成を検討したところ、カソード側のセパレータに設けられた流路溝から水や液体燃料をスムーズに除去するためには、酸化剤ガスを圧送して供給するために相当大きな電力消費を伴い、その分だけ燃料電池全体としてのエネルギー効率が低下してしまうという問題があることが判明した。
【０００９】
そこで、かかる知見に基づき、本発明は、運転中に発生して電極に付着する水やその他の液体をスムーズに排出でき、エネルギー効率の高い燃料電池の提供を目的とする。
【課題を解決するための手段】
【００１０】
上記した課題を解決すべく提供される請求項１に記載の発明は、電解質をアノード電極とカソード電極とで挟んで構成される単セルと、前記アノード電極およびカソード電極に対して隣接する位置に配されるセパレータとを有する燃料電池であって、前記セパレータが、前記アノード電極及び／又はカソード電極と対向する対向面を有し、当該対向面に、活物質が流通可能であり、アノード電極側あるいはカソード電極側に向けて突出した突出部を備えた流路溝が形成されており、前記突出部が、前記流路溝の流路幅全体にわたって突出しており、前記流路溝の延長方向に所定の間隔を開けて複数設けられていることを特徴とする燃料電池である。
【００１１】
本発明の燃料電池では、アノード電極やカソード電極に対して対向する対向面に活物質が流通可能な流路溝が設けられており、当該流路溝にアノード電極やカソード電極側に向けて突出するように突出部が設けられた構成とされている。さらに、流路溝に設けられた突出部が、流路溝の幅方向、すなわち流路溝を流れる活物質の流れ方向に対して交差する方向の全体にわたって突出している。そのため、流路溝に活物質を流すと、セパレータに形成された流路溝に沿って流れる活物質が必ず突出部に当たるため、活物質の電気化学反応により水が発生する電極側に活物質の流れを案内したり、活物質の流れを乱流状態とすることができる。
【００１２】
従って、本発明の燃料電池では、活物質の電気化学反応により発生した水や、一方の電極側に供給され、電解質膜を通って他方側に混入した活物質（以下、必要に応じて混入活物質と称する）のように、流路溝を通る活物質（以下、必要に応じて流路活物質と称す）の流れや電極の反応界面への活物質の供給を妨げる要因となりうるもの（以下、必要に応じて阻害物と総称する）がアノード電極やカソード電極において発生しても、これが流路活物質の流れによって押し流され、スムーズに排出される。
【００１３】
本発明の燃料電池は、セパレータに形成された流路溝において阻害物をスムーズに排出することができるため、アノード電極やカソード電極における活物質の流れや電極の反応界面への活物質の供給において阻害要因となるものが殆どなく、活物質をアノード電極やカソード電極の反応界面に略均一に供給することができる。そのため、本発明の燃料電池は、阻害物に起因する電気的特性の低下を最小限に抑制できる。
【００１４】
上記したように、本発明の燃料電池は、セパレータに設けられた突出部によって活物質をアノード電極やカソード電極側に案内し、流路溝から阻害物を排除する構成であるため、上記した従来技術のように活物質をさほど高圧で圧送する必要がない。そのため、本発明の燃料電池は、活物質の圧送に伴うエネルギー消費が少なく、総合エネルギー効率が高い。
【００１５】
また、同様の知見に基づいて提供される請求項２に記載の発明は、電解質をアノード電極とカソード電極とで挟んで構成される単セルと、前記アノード電極およびカソード電極に対して隣接する位置に配されるセパレータとを有し、前記アノード電極側あるいはカソード電極側のいずれか一方において活物質の反応により水が発生する燃料電池であって、前記セパレータが、前記アノード電極側あるいはカソード電極側のうち、活物質の電気化学反応により水が発生する電極に対して対向する対向面を有し、当該対向面に、活物質が流通可能であり、活物質の電気化学反応により水が発生する電極側に向けて突出した突出部を備えた流路溝が形成されており、前記突出部が、前記流路溝の流路幅全体にわたって突出しており、前記流路溝の延長方向に所定の間隔を開けて複数設けられていることを特徴とする燃料電池である。
【００１６】
本発明の燃料電池では、活物質の電気化学反応により水が発生する電極に対して対向する対向面に活物質が流通可能な流路溝が設けられており、当該流路溝に活物質の電気化学反応により水が発生する電極側に向けて突出するように突出部が設けられた構成とされている。さらに、流路溝に設けられた突出部が、流路溝の幅方向、すなわち流路溝を流れる活物質の流れ方向に対して交差する方向の全体にわたって突出している。そのため、流路溝に活物質を流すと、セパレータに形成された流路溝に沿って流れる活物質が必ず突出部に当たり、活物質の電気化学反応により水が発生する電極側に案内される。従って、本発明の燃料電池は、活物質の反応により発生する水を対向面に設けられた流路溝を流れる活物質の流れによって押し流し、スムーズに排出させることができる。
【００１７】
本発明の燃料電池は、活物質の電気化学反応により発生した水をスムーズに排出することができるため、活物質の電気化学反応により水が発生する電極側における活物質の流れや電極の反応界面への活物質の供給において阻害要因となるものが殆どない。そのため、本発明の燃料電池は、活物質の電気化学反応により水が発生する電極の反応界面に対して略均一に活物質を供給することができる。従って、本発明の燃料電池は、活物質の電気化学反応により発生した水に起因する電気的特性の低下を最小限に抑制できる。
【００１８】
上記したように、本発明の燃料電池は、セパレータに設けられた突出部によって活物質の流れを水が発生する電極側に向けて案内し、これによって水を押し流して排除する構成である。そのため、本発明の燃料電池では、上記した従来技術のように活物質をさほど高圧で圧送しなくても電気化学反応により発生した水を排除することができる。そのため、本発明の燃料電池は、活物質の圧送に伴うエネルギー消費が少なく、総合エネルギー効率が高い。
【００１９】
ここで、上記したように、アノード電極やカソード電極において活物質の電気化学反応により水が発生する場合、燃料電池の作動温度や活物質の濃度などの運転条件が所定の範囲内であれば、前記した水の粒径はさほど極端に変動せず、所定の分布内になるものと想定される。
【００２０】
そこで、かかる知見に基づいて提供される請求項３に記載の発明は、流路溝の延長方向に隣接する突出部同士の間隔が、活物質の電気化学反応により発生し、電極に付着する水あるいは当該水を含む液体の平均粒径以下であることを特徴とする請求項２に記載の燃料電池である。
【００２１】
本発明の燃料電池では、流路溝に複数設けられた突出部同士の間隔が、電気化学反応により発生する水やこれを含む液体の平均粒径以下とされている。そのため、本発明の燃料電池では、流路溝を流れる活物質が突出部に当たってアノード電極側あるいはカソード電極側に案内されると、電気化学反応により発生した水や液体に活物質が確実に当たる。従って、上記した構成によれば、電気化学反応により発生した水や液体をスムーズに排除することができる。
【００２２】
請求項４に記載の発明は、突出部が、流路溝の延長方向に複数設けられており、流路溝の延長方向に隣接する突出部同士の間隔が、流路溝の流路幅方向に略均一であることを特徴とする請求項１〜３のいずれかに記載の燃料電池である。
【００２３】
かかる構成によれば、流路溝を流れる活物質の流れを確実にアノード電極やカソード電極に案内することができる。そのため、本発明の燃料電池では、活物質の流れや電極の反応界面への活物質の供給において阻害要因となる水等をスムーズに排除することができる。
【００２４】
ここで、上記請求項１〜４のいずれかに記載の燃料電池において、突出部は、流路溝の延長方向の長さが、流路溝の延長方向に隣接する突出部同士の間隔と略同一であってもよい（請求項５）。
【００２５】
かかる構成によれば、流路溝を流れる活物質の流れを適度にアノード電極やカソード電極側に誘導したり、乱流状態とし、活物質の流れや電極の反応界面への活物質の供給において阻害要因となる水等をスムーズに排除することができる。
【００２６】
ここで、上記したように流路溝に突出部を設ける場合、突出部の突出量が大きすぎると活物質の流れに対して作用する流れ抵抗が大きくなってしまう。また逆に、突出部の突出量をあまりに小さくすると、活物質の流れをアノード電極側あるいはカソード電極側にうまく誘導できず、活物質の流れや電極の反応界面への活物質の供給において阻害要因となるものの排除能力が低下してしまうものと想定される。
【００２７】
そこで、かかる知見に基づき、上記した各発明の燃料電池は、突出部と、対向面に対向するアノード電極あるいはカソード電極との間隔は、流路溝の延長方向に隣接する突出部同士の間に存在する中間部と、対向面に対向するアノード電極あるいはカソード電極との間隔の２／３〜４／５の範囲内にある構成としてもよい。
【００２８】
かかる構成によれば、突出部を設けてもセパレータに設けられた流路溝の流路抵抗をさほど高くすることなく、活物質の流れをアノード電極側あるいはカソード電極側に適度に誘導したり乱流状態とすることができ、水等の活物質の流れや電極の反応界面への活物質の供給において阻害要因となるものをスムーズに排出することができる。
【００２９】
ここで、上記各発明の燃料電池において、突出部は、対向面に対向するアノード電極あるいはカソード電極との間隔が、流路溝を流れる活物質の流れ方向上流側から下流側に向かうにつれて小さくなる近接傾斜領域を有するものであってもよい。
【００３０】
かかる構成とした場合、突出部に近接傾斜領域が設けられており、流路溝を流れる活物質の流れ方向上流側から下流側に向かうにつれて突出部がアノード電極あるいはカソード電極に近接する構成となる。そのため、上記した構成の燃料電池では、流路溝に供給された活物質がスムーズにアノード電極側あるいはカソード電極側に案内され、電気化学反応によって発生した水等を押し流して排除することができる。また、上記した構成とした場合は、突出部に近接離反領域が設けられているため、流路溝を流れる活物質の流れがスムーズで淀み等が発生しにくい。そのため、上記した構成を採用すれば、アノード電極側あるいはカソード電極側における活物質の流れや電気化学反応がスムーズな燃料電池を供給することができる。
【００３１】
ここで、上記各発明の燃料電池において、突出部は、対向面に対向するアノード電極あるいはカソード電極との間隔が、流路溝を流れる活物質の流れ方向上流側から下流側に向かうにつれて小さくなる近接傾斜領域と、当該近接離反領域よりも活物質の流れ方向下流側において、対向面に対向するアノード電極あるいはカソード電極側との間隔が、流路溝を流れる活物質の流れ方向上流側から下流側に向かうにつれて大きくなる離反傾斜領域とを有することを特徴とするものであってもよい。
【００３２】
かかる構成によれば、流路溝に供給された活物質をスムーズにアノード電極側あるいはカソード電極側に案内し、電気化学反応によって発生した水等を押し流して排除することができる。また、近接傾斜領域や離反傾斜領域を設けることにより、流路溝を流れる活物質の流れが淀むのを防止でき、アノード電極側あるいはカソード電極側における電気化学反応をスムーズに進行させることができる。
【００３３】
上記各発明に記載の構成は、電解質がプロトンを優先的に通過させることが可能なものであり、カソード電極側における活物質の電気化学反応により水が発生するものであり、少なくともセパレータのカソード電極に対向する面に設けられた流路溝に突出部が設けられている構成の燃料電池において好適に採用することができる（請求項９）。
【発明の効果】
【００３４】
本発明によれば、運転中に発生して電極に付着する水やその他の液体をスムーズに排出でき、エネルギー効率の高い燃料電池を提供できる。
【発明を実施するための最良の形態】
【００３５】
続いて、本発明の一実施形態にかかる燃料電池について、図面を参照しながら詳細に説明する。図１において、１は本実施形態の燃料電池である。本実施形態の燃料電池１は、正極活物質として空気や酸素等の酸化剤ガスを供給し、負極活物質としてメタノールを供給することにより発電可能な、いわゆる直接メタノール型燃料電池（ＤＭＦＣ）と称されるタイプの燃料電池である。燃料電池１は、図２に示すように電解質１１をアノード電極１５およびカソード電極１６で挟み込んで構成される単セル１０を複数有し、単セル同士の間にセパレータ２０（インターコネクタ、内部連結体）を介在させて直列結合することにより電池スタックとしたものである。また、図３に示すようにセパレータ２０と単セル１０との間には、ガスケット１２，１３を介在させた状態とされており、これによりシール性が維持されている。
【００３６】
電解質１１は、プロトン伝導性が高く、電子導電性やメタノール透過性を殆ど示さない膜状の固体高分子材料で作製された部材である。さらに具体的には、電解質１１には、例えばフッ素系樹脂等を採用することができる。電解質１１は、正面視が略正方形とされており、その外周側に開口形状が矩形の連通孔１１ａ〜１１ｆが設けられている。
【００３７】
アノード電極１５およびカソード電極１６は、それぞれ例えば炭素繊維を織って形成されたカーボンクロスやカーボンペーパー、カーボンフェルト等を基材とし、これに所定の触媒を担持させた構成とされている。アノード電極１５に担持される触媒としては、例えば白金触媒、白金・ルテニウム触媒やコバルト触媒等を採用することができる。また、カソード電極１６に担持される触媒としては、例えば白金触媒や銀触媒等を採用することができる。
【００３８】
図２に示すように、アノード電極１５は、後述するセパレータ２０との間にメタノールが通過可能な流路１７を構成する。燃料電池１において流路１７にメタノールを供給すると、カーボンクロス等の基材に担持された白金触媒等による触媒作用により下記（１）のような電気化学反応が起こり、プロトン（水素イオン）、二酸化炭素および電子が発生する。
【００３９】
ＣＨ３ＯＨ  ＋  Ｈ２Ｏ  →  ＣＯ２  ＋  ６Ｈ＋  ＋６ｅ−  ・・・  （１）
アノード電極１５において発生したプロトンは、アノード電極１５に隣接する位置に配された電解質１１を通過し、カソード電極１６側に至る。また、アノード電極１５において発生した電子は、アノード電極１５およびカソード電極１６に電気的に接続された外部負荷（図示せず）を通過し、アノード電極１６に至る。
【００４０】
カソード電極１６は、これに隣接する位置に配されたセパレータ２０との間に酸素あるいは空気や酸素等の酸化剤ガス（以下、単に酸化剤ガスと称する）が流れる流路１８を形成する。燃料電池１において、流路１８に酸化剤ガスを供給すると、基材に担持されている白金触媒等による触媒作用により電解質１１を通過してきたプロトンや電子の供給下において下記（２）のような電気化学反応が起こって水が生成し、カソード電極１６の表面に付着する。
【００４１】
３／２Ｏ２  ＋  ６Ｈ＋  ＋６ｅ−  →  ３Ｈ２Ｏ  ・・・  （２）
また、カソード電極１６の表面には、電解質１１を透過（クロスオーバー）してきたメタノールが、上記（２）の電気化学反応によって発生した水に混入するなどして付着することがある。
【００４２】
ガスケット１２，１３は、板状の部材であり、略中央部にアノード電極１５やカソード電極１６を収容するための開口２６，２７を有する。また、開口２６，２７の外周には、連通孔１２ａ〜１２ｆおよび連通孔１３ａ〜１３ｆが設けられている。連通孔１２ａ〜１２ｆおよび連通孔１３ａ〜１３ｆは、それぞれガスケット１２，１３を電解質１１に重ね合わせた際に電解質１１に設けられた連通孔１１ａ〜１１ｆと連通する位置に設けられている。
【００４３】
セパレータ２０は、図３〜図５に示すように正面視が矩形とされている。セパレータ２０は、図２や図６に示すように単セル１０同士の間に配され、隣接する単セル１０のアノード電極１５とカソード電極１６との間に介在して流路１７，１８を形成する機能と、アノード電極１５側に形成される流路１７に供給されるメタノールと、カソード電極１６側に形成される流路１８に供給される酸化剤ガスとの混合を阻止する分離手段としての機能と、単セル１０同士を電気的に繋ぐ中間連結体（インターコネクタ）としての機能とを兼ねている。
【００４４】
セパレータ２０は、導電性を有するが、ガス透過性やイオン伝導性を持たないものによって構成された板状の部材である。さらに具体的には、セパレータ２０は、例えばカーボンや、ステンレス鋼などの金属板、メッキを施したり、導電性金属を析出させるなどして金属板を表面処理したもの等によって構成されている。
【００４５】
セパレータ２０は、燃料電池１の組立状態においてアノード電極１５と対向するアノード側対向面２１と、カソード電極１６と対向するカソード側対向面２２とを有する。セパレータ２０は、アノード側対向面２１側およびカソード側対向面２２側の略中央部に、それぞれ独立した流路溝２３，２５が形成されている。また、セパレータ２０は、流路溝２３，２５の外周側に複数の連通孔２０ａ〜２０ｆが設けられた構成とされている。
【００４６】
連通孔２０ａ〜２０ｆは、それぞれ図３に示すように、セパレータ２０を単セル１０に対して隣接する位置に配置し、ガスケット１２，１３に重ね合わせた状態とすることにより電解質１１に設けられた連通孔１１ａ〜１１ｆや、ガスケット１２，１３に設けられた連通孔１２ａ〜１２ｆ，１３ａ〜１３ｆと連通する位置に設けられている。
【００４７】
連通孔２０ａ，２０ｂは、図１のように燃料電池１を組み立てた状態においてそれぞれ上記したガスケット１２，１３の連通孔１２ａ，１２ｂおよび連通孔１３ａ，１３ｂや、電解質１１の連通孔１１ａ，１１ｂと連通する孔である。連通孔２０ａ，１２ａ，１１ａ，１３ａは、各単セル１０を重ね合わせて一体化すると、各単セル１０を横断するように延びるメタノール往路３０を構成する。また、連通孔２０ｂ，１２ｂ，１１ｂ，１３ｂは、各単セル１０を重ね合わせて一体化すると、各単セル１０を横断するように延びるメタノール復路３１を構成する。メタノール往路３０は、図示しないメタノールの供給源から供給されるメタノールを各単セル１０に供給するための流路である。また、メタノール復路３１は、各単セル１０を通過した余剰のメタノールや、各単セル１０において消費されずに排出されるメタノールを回収して燃料電池１の外側に排出するための流路である。
【００４８】
また、連通孔２０ｃ，２０ｄは、それぞれ燃料電池１の組み立て状態において上記したガスケット１２，１３の連通孔１２ｃ，１２ｄおよび連通孔１３ｃ，１３ｄや、電解質１１の連通孔１１ｃ，１１ｄと連通する孔である。連通孔２０ｃ，１２ｃ，１１ｃ，１３ｃは、各単セル１０を重ね合わせて一体化することによって、各単セル１０を横断するように延びる酸化剤ガス往路３２を構成する。また、連通孔２０ｄ，１２ｄ，１１ｄ，１３ｄは、各単セル１０を重ね合わせて一体化することにより、各単セル１０を横断するように延びる酸化剤ガス復路３３を構成する。酸化剤ガス往路３２は、燃料電池１の外部から供給される酸化剤ガスを各単セル１０に供給するための流路である。また、酸化剤ガス復路３３は、各単セル１０を通過した余剰の酸化剤ガスに加え、各単セル１０において消費されずに排出される酸化剤ガス、電気化学反応によりカソード電極１６側から排出される水、アノード電極１５側から電解質１１を透過（クロスオーバー）してカソード電極１６側に至ったメタノール等を回収して燃料電池１の外側に排出するための流路である。
【００４９】
また、連通孔２０ｅ，２０ｆは、上記したガスケット１２，１３の連通孔１２ｅ，１２ｆおよび連通孔１３ｅ，１３ｆや、電解質１１の連通孔１１ｅ，１１ｆと連通する孔である。連通孔２０ｅ，１２ｅ，１１ｅ，１３ｅは、各単セル１０を重ね合わせて一体化することによって、各単セル１０を横断するように延びる冷却水往路３５を構成する。また、連通孔２０ｆ，１２ｆ，１１ｆ，１３ｆは、各単セル１０を重ね合わせて一体化することにより、各単セル１０を横断するように延びる冷却水復路３６を構成する。冷却水往路３５は、図示しない給水源から供給された冷却水を燃料電池１に送り込むための流路であり、冷却水復路３６は、冷却水往路３５を流れて燃料電池１の末端に至った冷却水を給水源側に戻すための流路である。
【００５０】
図４に示すように、アノード側対向面２１の略中央部には、複数（本実施形態では４本）の流路溝２３が蛇腹型（サーペンタイン型）に形成されており、アノード側対向面２１と電解質１１とでアノード電極１５を挟んだ状態とすることにより、流路溝２３によりアノード電極１５にメタノールを供給するための流路１７が形成される。
【００５１】
さらに詳細に説明すると、各流路溝２３は、それぞれ末端部分が連通孔２０ｃおよび連通孔２０ｄに繋がるように形成された溝であり、その中途部分で複数回（本実施形態では６回）にわたって略「コ」字形に折れ曲がった構成とされている。各流路溝２３が設けられている領域は、ガスケット１２を介して電解質１１とセパレータ２０とでアノード電極１５を挟み込んだ状態とした際に、アノード電極１５の略全体が面接触する領域に設けられている。
【００５２】
アノード電極１５をセパレータ２０と電解質１１で挟み込むと、図２や図６に示すように両者の間にアノード電極１５の略全面にわたってメタノールを略均一に供給可能なメタノール供給用の流路１７が形成される。すなわち、燃料電池１は、組み立て状態において各単セル１０を横断するように延びるメタノール往路３０およびメタノール復路３１が形成されると共に、アノード電極１５とセパレータ２０との間に、メタノール往路３０を流れるメタノールの一部を連通孔２０ｃから取り込んでアノード電極１５に供給し、電気化学反応に使用されなかったメタノールの残部を連通孔２０ｄを介してメタノール復路３１に戻す流路１７が形成される。
【００５３】
そのため、複数の単セル１０をセパレータ２０を介して挟み込んで燃料電池１を組み立てた状態において、メタノール往路３０にメタノールを供給すると、メタノール往路３０を通って複数の単セル１０を横断するようにメタノールが流れると共に、このメタノールの一部が各セパレータ２０の連通孔２０ｃからアノード側対向面２１に設けられた各流路溝２３に流入する。これにより、メタノールが各流路溝２３に沿って流れ、アノード電極１５の略全体に均一に供給され、アノード電極１５において上記（１）に示したような電気化学反応が起こる。各流路溝２３に沿って流れるメタノールのうち、アノード電極１５において消費されることなく下流端に至ったものは、連通孔２０ｄを介してメタノール復路３１に回収される。
【００５４】
図５に示すように、セパレータ２０は、カソード側対向面２２の略中央部にも複数（本実施形態では４本）の流路溝２５を有する。流路溝２５は、図２等に示すように燃料電池１を通常の設置状態で設置した際に上下方向に向かって延びるように設置される。流路溝２５は、アノード側対向面２１に形成された流路溝２３と同様に蛇腹型（サーペンタイン型）に形成されている。そのため、カソード側対向面２２をカソード電極１６側に向けた姿勢として、セパレータ２０と電解質１１とでカソード電極１６を挟んだ状態とすると、各流路溝２５によりカソード電極１６に酸化剤ガスを供給するための流路１８が形成される。
【００５５】
さらに詳細に説明すると、各流路溝２５は、それぞれ末端部分が連通孔２０ａおよび連通孔２０ｂに繋がるように形成された溝であり、その中途部分で複数回（本実施形態では６回）にわたって略「コ」字形に折れ曲がった構成とされている。各流路溝２５が設けられている領域は、ガスケット１３を介して電解質１１とセパレータ２０とでカソード電極１６を挟み込んだ状態とした際に、カソード電極１６の略全体が面接触する領域に設けられている。
【００５６】
カソード電極１６をセパレータ２０と電解質１１で挟み込むと、図２や図６に示すように酸化剤ガス供給用の流路１８が形成される。燃料電池１は、組み立て状態においてカソード電極１６とセパレータ２０との間に酸化剤ガス供給用の流路１８を有する。流路１８は、酸化剤ガス往路３２および酸化剤ガス復路３３と連通孔２０ａ，２０ｂを介して連通している。そのため、流路１８は、酸化剤ガス往路３２を流れる酸化剤ガスの一部を連通孔２０ｃから取り込んでカソード電極１６に供給すると共に、電気化学反応に使用されなかった酸化剤ガスや、カソード電極１６における電気化学反応により発生する水や、アノード電極１５側から電解質１１を透過してカソード電極１６側に到達したメタノールを連通孔２０ｄを介して酸化剤ガス復路３３に戻すための手段として機能する。
【００５７】
上記したように、カソード側対向面２２に形成された各流路溝２５は、アノード側対向面２１に形成された流路溝２３と略同一の形状を有するが、流路溝２５の中途に多数の突出部５０が形成されている点が大きく異なる。さらに詳細に説明すると、流路溝２５の中途には、図５にハッチングで示すように複数の突出部５０が設けられている。突出部５０は、図２や図７等に示すように外観が略直方体状であって、カソード電極１６側に向けて突出している。
【００５８】
突出部５０は、図５や図７に示すように各流路溝２５の幅Ｗ方向全域にわたって突出している。そのため、図６に矢印で示すように、流路溝２５に酸化剤ガスを流すと、流路溝２５の幅方向全域において、流路溝２５側に沿って流れる酸化剤ガスが突出部５０に衝突し、カソード電極１６側に流れ方向を変えるといった現象が起こる。そのため、流路溝２５によって構成される流路１８を流れる酸化剤ガスが、カソード電極１６側に誘導されると共に乱流状態になる。これにより、カソード電極１６の表面に付着した水やメタノール、あるいはこれらの混合物からなる液体は、酸化剤ガスの流れ方向下流側に押し流され、流路１８の外部に排除される。従って、燃料電池１は、カソード電極１６に水やメタノール等の液体が付着することによる電気的特性の低下を最小限に抑制できる。
【００５９】
上記したように、燃料電池１は、セパレータ２０に設けられた突出部５０によって酸化剤ガスの流れをカソード電極１６側に向けて案内し、これによって水を押し流して排除する構成であるため、従来技術のように酸化剤ガスの供給圧力をさほど高圧としなくてもカソード電極１６に付着する水やメタノール等の液体を排除することができる。そのため、燃料電池１は、酸化剤ガスの圧送に伴うエネルギー消費が少なく、総合エネルギー効率が高い。
【００６０】
また、流路溝２５に設けられた突出部５０同士の間隔、すなわち流路溝２５の延長方向に並ぶ突出部５０同士の中間部５１の長さＤは、幅Ｗ方向に略均一であり、互いに平行となっている。すなわち、流路溝２５の延長方向に並んだ突出部５０同士の間隔は、流路溝２５の幅方向中央部においても、幅方向両端部においても長さＤで略一定である。そのため、本実施形態の燃料電池１では、流路溝２５によって構成される流路１８に酸化剤ガスを流した場合の酸化剤ガスの流速が、流路溝２５の幅方向に略均一となる。従って、前記したような構成によれば、流路溝２５に対向するカソード電極１６の表面に電気化学反応によって発生する水やメタノール等にムラ無く均一に酸化剤ガスを当て、これを流路１８の下流側に向けてスムーズに押し流すことができる。
【００６１】
さらに、図５〜図７に示すように、突出部５０は、流路溝２５の延長方向の長さｄが、流路溝２５の延長方向に並ぶ突出部５０同士の中間部５１の長さＤと略同一程度とされている。これにより、本実施形態の燃料電池１では、酸化剤ガスの流れを適度にカソード電極１６側に誘導したり乱流状態としてカソード電極１６に付着している水やメタノールなどの液体を除去することができ、カソード電極１６における電極反応（電気化学反応）の阻害要因を排除することができる。
【００６２】
また、図６に示すように、突出部５０の間隔、すなわち中間部５１の長さＤは、カソード電極１６の表面に付着する水やエタノール、あるいはこれらの混合物からなる液体の平均粒径ｊ以下となるように調整されている。ここで、前記した液体の平均粒径ｊ、すなわち液体がカソード電極１６に付着した状態において、液体とカソード電極１６との接触領域を想定した場合に、流路溝２５を流れる酸化剤ガスの流れ方向に延びる前記接触領域の長さの平均値は、燃料電池１の運転条件等を考慮し、実験的あるいは所定の演算式に基づいて導出することができる。
【００６３】
上記したように、本実施形態では中間部５１の長さＤが平均粒径ｊ以下となるように調整されているため、流路１８を流れる酸化剤ガスが突出部５０に当たってカソード電極１６側に案内されると、これがカソード電極１６に付着している液体に確実に当たる。そのため、上記したようにして中間部５１の長さＤ（突出部５０の間隔）を調整することにより、カソード電極１６に付着した液体をより一層確実に除去可能となり、燃料電池１の総合エネルギー効率の向上に寄与することができる。
【００６４】
図２や図６に示すように、燃料電池１を組み立てた状態において、突出部５０の表面とこれに対向するカソード電極１６との間隔ｈは、中間部５１の表面とカソード電極１６との間隔Ｈの２／３〜４／５程度の範囲とされている。本実施形態では、間隔ｈが間隔Ｈの２／３程度とされている。換言すれば、突出部５０のカソード電極１６側への突出量ｉは、間隔Ｈの１／３程度とされている。
【００６５】
上記したように、本実施形態では、突出部５０の表面とカソード電極１６との間隔ｈが、中間部５１の表面とカソード電極１６との間隔Ｈの２／３〜４／５程度確保されているため、流路１８における酸化剤ガスに作用する流れ抵抗をさほど高くすることなく酸化剤ガスをカソード電極１６側に誘導したり、酸化剤ガスの流れを乱流状態とすることができる。
【００６６】
上記実施形態では、突出部５０の流路溝２５の延長方向の長さｄが、流路溝２５の延長方向に並ぶ突出部５０同士の中間部５１の長さＤと略同一程度とされていたが、本発明はこれに限定されるものではなく、突出部５０の長さｄが中間部５１の長さＤに対して長くても短くてもよい。また、上記実施形態において、突出部５０の間隔（中間部５１の長さＤ）は、カソード電極１６の表面に付着する水やエタノール等の液体の平均粒径ｊ以下であったが、平均粒径ｊが不均一である場合や条件によって変動する場合等のように平均粒径ｊが予測困難である場合などは長さＤを適宜設定してもよい。
【００６７】
上記実施形態したように、突出部５０の表面とカソード電極１６との間隔ｈが、中間部５１の表面とカソード電極１６との間隔Ｈの２／３〜４／５程度の範囲とすることが好ましいが、本発明はこれに限定されるものではない。さらに具体的には、例えば、流路溝２５の流路抵抗等を考慮する必要がない場合や、多少流路抵抗が高くなってもよい場合などは、間隔ｈが前記した範囲を外れた構成とすることも可能である。
【００６８】
上記実施形態において、突出部５０は、カソード電極１６側に向けて略直方体状に突出した構成であったが、本発明はこれに限定されるものではなく、例えば図８のように断面形状が略二等辺三角形で山形の形状としたり、図９に示すように断面形状が略直角三角形で流路溝２５の延長方向に向かうに従ってカソード電極１６に近づくように傾斜した部分をもつ構成としてもよい。
【００６９】
さらに具体的に説明すると、図８に示す変形例において、突出部５０は近接傾斜領域５５と離反傾斜領域５６とを有する。近接傾斜領域５５は、流路溝２５の上流側から下流側に向かうにつれてカソード電極１６側に近接するように傾斜した部分である。離反傾斜領域５６は、近接傾斜領域５５に対して流路溝２５を流れる酸化剤ガスの流れ方向下流側に連続した領域であり、酸化剤ガスの流れ方向下流側に向かうにつれてカソード電極１６から離反するように傾斜した部分である。
【００７０】
また、図８に示す例では、近接傾斜領域５５において流路溝２５を流れる酸化剤ガスの流れ方向上流側の端部が、流路溝２５の長手方向に対して略直角方向（図８（ａ）において二点差線で示す方向）に延びるのではなく、略直角な方向（幅方向）に対してやや傾斜した構成とされている。同様に、離反傾斜領域５６において流路溝２５を流れる酸化剤ガスの流れ方向下流側の端部についても流路溝２５の幅方向に対してやや傾斜した構成とされている。
【００７１】
上記したように突出部５０を山形とした場合は、流路溝２５に酸化剤ガスを流すと、カソード電極１６側に誘導されると共に、酸化剤ガスの流れが乱流状態になる。また、突出部５０は、上流側および下流側の端部を流路溝２５の幅方向に対してやや傾斜した構成としているため、流路溝２５に供給される酸化剤ガスの流速等の条件が揃えば、酸化剤ガスの流れは、図８（ｂ）に矢印で示すように酸化剤ガスが螺旋状の旋回流になるなどしてより一層乱流状態になる。そのため、図８に示すような構成とした場合についても、カソード電極１６に付着した水やメタノールをスムーズに排除することができる。
【００７２】
また、上記したように突出部５０を山形とした場合は、突出部５０と中間部５１との境目等における酸化剤ガスの淀みの発生を防止することができる。そのため、突出部５０を山形とすることにより、流路抵抗を最小限に抑制することができる。
【００７３】
なお、図８に示す例では、突出部５０の上流側および下流側の端部を流路溝２５の幅方向に対してやや傾斜した構成とする例を例示したが、本発明はこれに限定されるものではなく、突出部５０の上流側および下流側の端部が流路溝２５の幅方向、すなわち流路溝２５の延長方向に対して略直交する方向に延びる構成であってもよい。かかる構成とした場合についても酸化剤ガスを乱流状態とすることができ、カソード電極１６に付着した水やメタノールの排除を促進することができる。
【００７４】
上記したように、突出部５０は、図９に示すように流路溝２５を流れる酸化剤ガスの流れ方向上流側から下流側に向かうにつれてカソード電極１６側に近接するように傾斜した形状とすることも可能である。すなわち、突出部５０は、上記した図８に示す変形例の近接傾斜領域５５を有し、離反傾斜領域５６が省略された構成とすることも可能である。かかる構成とした場合についても、流路溝２５に酸化剤ガスを流すと、図９（ｂ）に矢印で示すように流路溝２５表面近傍を流れる酸化剤ガスがカソード電極１６側に誘導されると共に、酸化剤ガスの流れが乱流状態になる。また、図９のような構成とすれば、突出部５０と中間部５１との境目等における酸化剤ガスの淀みの発生を防止することができる。従って、突出部５０を図９に示すような構成とした場合についても、カソード電極１６に付着した水やメタノールをスムーズに排除することができる。
【００７５】
図９に示す例では、突出部５０の上流側の端部が流路溝２５の幅方向に延びる構成であったが、上記した図８に示す例のように突出部５０の上流側の端部が流路溝２５の幅方向に対してやや傾斜した構成であってもよい。かかる構成とした場合は、流路溝２５に供給される酸化剤ガスの流速等の条件が揃えば、酸化剤ガスの流れが螺旋状の旋回流になり、カソード電極１６に付着した水やメタノールをより一層スムーズに排除することができる。
【００７６】
図８や図９に示した突出部５０の変形例では、近接傾斜領域５５や離反傾斜領域５６のように突出部５０の表面の略全体がカソード電極１６に対して傾斜構成であったが、本発明はこれに限定されるものではなく、例えば図１０（ａ）に示すように近接傾斜領域５５と離反傾斜領域５６との間に、カソード電極１６に対して略平行な平行領域５７を持つ構成としてもよい。また、上記実施形態では、近接傾斜領域５５や離反傾斜領域５６の表面が直線的に傾斜した構成を例示したが、本発明はこれに限定されるものではなく、図１０（ｂ）のように表面の断面形状が曲線状になる構成としてもよい。
【００７７】
上記実施形態では、突出部５０の突出量ｉ、すなわち突出部５０の表面とカソード電極１６との間隔ｈが一定である構成を例示したが、本発明はこれに限定されるものではなく、例えば突出量ｉが部位によって異なる構成としたり、酸化剤ガスの流れ方向上流側に設けられたものと下流側に設けられたものとで突出部５０の突出量ｉ（間隔ｈ）が異なる構成としてもよい。かかる構成によれば、酸化剤ガスの供給状態や、カソード電極１６における電気化学反応の反応状態等に応じて流路溝２５を流れる酸化剤ガスにかかる流れ抵抗や、酸化剤ガスの流れの状態を最適化することができる。
【００７８】
また、上記実施形態で採用されていた突出部５０は、表面が平坦な構成であったが、本発明はこれに限定されるものではなく、例えば図１０（ｃ）のように突出部５０の幅方向中央部が幅方向両端部よりもカソード電極１６側に突出した構成としたり、図１０（ｄ）のように突出部５０の幅方向両端部が幅方向中央部よりもカソード電極１６側に突出した凹状の形状とすることも可能である。かかる構成によれば、酸化剤ガスの流速の流路溝２５の幅方向への分布を最適化することができ、カソード電極１６に付着する水やメタノール等の液体をスムーズに排除できる。
【００７９】
上記実施形態の燃料電池１は、アノード電極１５側にメタノールを供給することにより発電するＤＭＦＣを例示したが、本発明はこれに限定されるものではなく、例えば水素等の燃料ガスを供給することにより発電するＰＥＦＣ等、他のタイプの燃料電池であってもよい。
【００８０】
また、上記実施形態の燃料電池１は、電解質１１としてプロトン導電性の高分子膜を利用したものであり、カソード電極１６側において電気化学反応により水等が発生する構成であったため、セパレータ２０のカソード側対向面２２に設けられた流路溝２５に突出部５０を設けた構成であったが、本発明はこれに限定されるものではない。さらに具体的には、燃料電池１の電解質１１として酸化物イオンを優先的に透過する酸化物イオン導電性に優れたものを採用する場合は、上記実施形態の場合とは逆に、アノード電極１５側における電気化学反応により水が発生し、これがアノード電極１５の表面に付着するものと想定される。そのため、このような場合は、カソード対向面２２側に設けられた流路溝２５に突出部５０を設ける代わりに、アノード対向面２１側に設けられた流路溝２３に上記したのと同様の構成の突出部５０を設けた構成とすることも可能である。
【００８１】
上記実施形態では、カソード対向面２２に設けられた流路溝２５にのみ突出部５０を設ける例を例示したが、本発明はこれに限定されるものではなく、流路溝２５に加えて、アノード対向面２１側の流路溝２３にも突出部５０を設ける構成としてもよい。
【００８２】
上記実施形態において、セパレータ２０に設けた流路溝２３，２５は、いずれも中途で何度か略「コ」字形に折り返した、いわゆるサーペンタイン型の流路であったが、本発明はこれに限定されるものではなく、例えば外部マニホールド型のセパレータのように、複数の流路溝を折り返すことなく形成したものであってもよい。
【図面の簡単な説明】
【００８３】
【図１】本発明の一実施形態にかかる燃料電池を示す斜視図である。
【図２】図１に示す燃料電池の構造を示す断面図である。
【図３】図１に示す燃料電池を構成する単セルおよびセパレータの構造を示す分解斜視図である。
【図４】セパレータをアノード側対向面側から正面視した状態を示す正面図である。
【図５】セパレータをカソード側対向面側から正面視した状態を示す正面図である。
【図６】図１に示す燃料電池における酸化剤ガスの流れを示す断面図である。
【図７】セパレータに設けられた流路溝の構造を示す破断斜視図である。
【図８】（ａ）はセパレータに設けられる突出部の変形例を示す破断斜視図であり、（ｂ）は（ａ）に示す突出部を備えたセパレータを採用した燃料電池における酸化剤ガスの流れを示す断面図である。
【図９】（ａ）はセパレータに設けられる突出部の別の変形例を示す破断斜視図であり、（ｂ）は（ａ）に示す突出部を備えたセパレータを採用した燃料電池における酸化剤ガスの流れを示す断面図である。
【図１０】（ａ）〜（ｄ）はセパレータに設けられる突出部のさらに別の変形例を示す断面図である。
【符号の説明】
【００８４】
１  燃料電池
１０  単セル
１１  電解質
１５  アノード電極
１６  カソード電極
１７，１８  流路
２０  セパレータ
２１  アノード側対向面
２２  カソード側対向面
２３，２５  流路溝
５０  突出部
５１  中間部
【図１】
2007165174.tif 000003
【図２】
2007165174.tif 000004
【図３】
2007165174.tif 000005
【図４】
2007165174.tif 000006
【図５】
2007165174.tif 000007
【図６】
2007165174.tif 000008
【図７】
2007165174.tif 000009
【図８】
2007165174.tif 000010
【図９】
2007165174.tif 000011
【図１０】
2007165174.tif 000012